【手続補正書】
【提出日】令和3年4月15日(2021.4.15)
【手続補正１】
【補正対象書類名】特許請求の範囲
【補正対象項目名】全文
【補正方法】変更
【補正の内容】
【特許請求の範囲】
【請求項１】
開口部と収納部とを備えた配送荷物収納体と、前記配送荷物収納体と固定された物体の一部とを接続する接続体とを備えた配送荷物保管装置であって、
前記配送荷物収納体は、配送荷物を収納しない第１の形態と、前記配送荷物を収納する第２の形態に変更することができ、前記第１の形態より、前記第２の形態が大きく、
前記接続体は、前記固定された物体の一部と前記配送荷物収納体との距離を伸縮可能とする伸縮部を備え、
前記接続体は、前記接続体の一方が前記固定された物体の一部に接続され、前記接続体の他方が前記配送荷物収納体に接続されるものであり、
前記配送荷物収納体が前記第１の形態の場合に前記伸縮部を短縮した状態として前記配送荷物収納体が前記固定された物体の一部に吊り下げられた状態とし、前記配送荷物収納体が前記第２の形態の場合に前記配送荷物収納体を地面に設置できる長さに前記伸縮部を伸長した状態として前記配送荷物収納体が地面に設置された状態とすることを可能とした配送荷物保管装置。
【請求項２】
前記第１の形態は配送荷物収納体を畳んだ状態であり、前記第２の形態は配送荷物収納体を広げた状態であることを特徴とする請求項１に記載された配送荷物保管装置。
【請求項３】
前記接続体は、本体部と、前記配送荷物収納体と接続する第１の接続部と、前記固定された物体の一部と接続する第２の接続部とを備え、前記第２の接続部に前記伸縮部を備え、前記第２の接続部を伸長した状態とした場合でも、前記本体部と前記配送荷物収納体とが近接することを特徴とする請求項１又は２に記載された配送荷物保管装置。
【請求項４】
前記接続体は、前記第１の接続部を施錠する施錠部を備える請求項３に記載された配送荷物保管装置。
【請求項５】
請求項１乃至４に記載された配送荷物保管装置を使用する方法であって、
配送荷物の荷受人が、前記配送荷物収納体を前記第１の形態で、かつ、前記接続体を短縮した状態で、前記接続体を前記固定された物体の一部に吊り下げて接続する第１のステップと、
配送荷物の配送人が、前記配送荷物収納体を地面に設置できる長さに前記伸縮部を伸長すること及び前記配送荷物収納体を前記第２の形態に変更することをした上で、配送荷物を前記配送荷物収納体の収納部に収納する第２のステップと、
配送荷物の荷受人が、前記配送荷物収納体に収納された配送荷物を取り出す第３のステップとを備える配送荷物保管装置を使用する方法。
【請求項６】
請求項１乃至４に記載された配送荷物保管装置を使用する方法であって、
配送荷物の荷送人が、前記配送荷物収納体が前記第２の形態で配送荷物を前記収納部に収納した上で、前記配送荷物収納体を地面に設置できる長さに前記伸縮部を伸長した状態で前記接続体を前記固定された物体の一部に吊り下げて接続する第１のステップと、
配送荷物の配送人が、前記配送荷物収納体に収納された配送荷物を取り出した上で、前記配送荷物収納体を前記第１の形態に変更すること及び前記伸縮部を短縮することを行う第２のステップとを備える配送荷物保管装置を使用する方法。
【請求項７】
一方を、配送荷物を収納しない第１の形態と前記配送荷物を収納する第２の形態とに変更することができ、かつ、前記第１の形態より前記第２の形態が大きい配送荷物収納体と接続し、他方を、固定された物体の一部と接続する、接続体であって、
前記接続体は、前記固定された物体の一部と前記配送荷物収納体との距離を伸縮可能とする伸縮部を備え、
前記配送荷物収納体が前記第１の形態の場合に、前記伸縮部を短縮して、前記配送荷物収納体が前記固定された物体の一部に吊り下げられた状態とし、
前記配送荷物収納体が前記第２の形態の場合に、前記伸縮部を伸長して、前記配送荷物収納体が地面に設置された状態とする接続体。
【請求項８】
前記接続体は、本体部と、前記配送荷物収納体と接続する第１の接続部と、前記固定された物体の一部と接続する第２の接続部とを備え、
前記第２の接続部に前記伸縮部を備え、
前記第２の接続部を伸長した状態とした場合でも、前記本体部と前記配送荷物収納体とが近接する請求項７に記載された接続体。
【請求項９】
前記第１の接続部を施錠する施錠部を備える請求項８に記載された接続体。
【手続補正２】
【補正対象書類名】明細書
【補正対象項目名】０００７
【補正方法】変更
【補正の内容】
【０００７】
かかる課題を解決すべく、第１の発明は、開口部と収納部とを備えた配送荷物収納体と、前記配送荷物収納体と固定された物体の一部とを接続する接続体とを備えた配送荷物保管装置であって、前記配送荷物収納体は、配送荷物を収納しない第１の形態と、前記配送荷物を収納する第２の形態に変更することができ、前記第１の形態より、前記第２の形態が大きく、前記接続体は、前記固定された物体の一部と前記配送荷物収納体との距離を伸縮可能とする伸縮部を備え、前記接続体は、前記接続体の一方が前記固定された物体の一部に接続され、前記接続体の他方が前記配送荷物収納体に接続されるものであり、前記配送荷物収納体が前記第１の形態の場合に前記伸縮部を短縮した状態として前記配送荷物収納体が前記固定された物体の一部に吊り下げられた状態とし、前記配送荷物収納体が前記第２の形態の場合に前記配送荷物収納体を地面に設置できる長さに前記伸縮部を伸長した状態として前記配送荷物収納体が地面に設置された状態とすることを可能とした配送荷物保管装置である。
【手続補正３】
【補正対象書類名】明細書
【補正対象項目名】０００８
【補正方法】変更
【補正の内容】
【０００８】
かかる課題を解決すべく、第２の発明は、上記配送荷物保管装置を使用する方法であって、配送荷物の荷受人が、前記配送荷物収納体を前記第１の形態で、かつ、前記接続体を短縮した状態で、前記接続体を前記固定された物体の一部に吊り下げて接続する第１のステップと、配送荷物の配送人が、前記配送荷物収納体を地面に設置できる長さに前記伸縮部を伸長すること及び前記配送荷物収納体を前記第２の形態に変更することをした上で、配送荷物を前記配送荷物収納体の収納部に収納する第２のステップと、配送荷物の荷受人が、前記配送荷物収納体に収納された配送荷物を取り出す第３のステップとを備える配送荷物保管装置を使用する方法である。
【手続補正４】
【補正対象書類名】明細書
【補正対象項目名】０００９
【補正方法】変更
【補正の内容】
【０００９】
かかる課題を解決すべく、第３の発明は、上記配送荷物保管装置を使用する方法であって、配送荷物の荷送人が、前記配送荷物収納体が前記第２の形態で配送荷物を前記収納部に収納した上で、前記配送荷物収納体を地面に設置できる長さに前記伸縮部を伸長した状態で前記接続体を前記固定された物体の一部に吊り下げて接続する第１のステップと、配送荷物の配送人が、前記配送荷物収納体に収納された配送荷物を取り出した上で、前記配送荷物収納体を前記第１の形態に変更すること及び前記伸縮部を短縮することを行う第２のステップとを備える配送荷物保管装置を使用する方法である。
【手続補正５】
【補正対象書類名】明細書
【補正対象項目名】００１０
【補正方法】変更
【補正の内容】
【００１０】
かかる課題を解決すべく、第４の発明は、一方を、配送荷物を収納しない第１の形態と前記配送荷物を収納する第２の形態とに変更することができ、かつ、前記第１の形態より前記第２の形態が大きい配送荷物収納体と接続し、他方を、固定された物体の一部と接続する、接続体であって、前記接続体は、前記固定された物体の一部と前記配送荷物収納体との距離を伸縮可能とする伸縮部を備え、前記配送荷物収納体が前記第１の形態の場合に、前記伸縮部を短縮して、前記配送荷物収納体が前記固定された物体の一部に吊り下げられた状態とし、前記配送荷物収納体が前記第２の形態の場合に、前記伸縮部を伸長して、前記配送荷物収納体が地面に設置された状態とする接続体である。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】